(57)【要約】  光通信装置は、少なくとも一つの光源、及び少なくとも２つのモードで動作するように前記少なくとも一つの光源のそれぞれを制御するように構成され、前記少なくとも２つのモードが第一のモードと第二のモードを含み、ここで、前記第一のモードが第一の情報を伝送することに用いられ、前記第二のモードが前記第一の情報と異なる第二の情報を伝送することに用いられ、ここで、前記少なくとも一つの光源のいずれかの光源に対して、前記第一のモードで、前記光源から発された光の属性が第一の周波数で変更し、これにより、ＣＭＯＳ画像センサーで前記光源を撮影する時に取得された前記光源の画像に縞が現れ、前記第二のモードで、前記光源から発された光が、ＣＭＯＳ画像センサーで前記光源を撮影する時に取得された前記光源の画像に縞が現れないコントローラとを備える。  【選択図】図８
2020532908.tif 000002
【特許請求の範囲】
【請求項１】
少なくとも一つの光源と、
コントローラとを備え、
前記コントローラとは、前記少なくとも一つの光源のそれぞれが少なくとも２つのモードで動作するように制御を行い、前記少なくとも２つのモードは第一のモードと第二のモードを含み、前記第一のモードは第一の情報を伝送することに用いられ、前記第二のモードは前記第一の情報と異なる第二の情報を伝送することに用いられ、
前記少なくとも一つの光源のいずれかの光源において、前記第一のモードで、前記光源から発された光の属性は第一の周波数で変化し、これにより、ＣＭＯＳ画像センサーで前記光源を撮影する時に取得された前記光源の画像に縞が現れ、前記第二のモードで、前記光源から発された光については、ＣＭＯＳ画像センサーで前記光源を撮影する時に取得された前記光源の画像に縞が現れないことを特徴とする
光通信装置。
【請求項２】
前記第二のモードで、前記光源から発された光の属性は前記第一の周波数と異なる第二の周波数で変化することを特徴とする
請求項１に記載の光通信装置。
【請求項３】
前記第二の周波数は第一の周波数より大きいことを特徴とする
請求項２に記載の光通信装置。
【請求項４】
前記第一のモードで第一の周波数で変更する光の属性は前記第二のモードで第二の周波数で変化する光の属性と同じであることを特徴とする
請求項２に記載の光通信装置。
【請求項５】
前記属性は光の強度であることを特徴とする
請求項４に記載の光通信装置。
【請求項６】
前記第一のモードで、前記光源は前記第一の周波数でオン及びオフになり、前記第二のモードで、前記光源は前記第二の周波数でオン及びオフになることを特徴とする
請求項５に記載の光通信装置。
【請求項７】
前記属性は光の波長であることを特徴とする
請求項４に記載の光通信装置。
【請求項８】
前記第二のモードで、前記光源から発された光の属性が変化しないことを特徴とする
請求項１に記載の光通信装置。
【請求項９】
前記第二のモードで、前記光源へ直流電流を提供することを特徴とする
請求項８に記載の光通信装置。
【請求項１０】
前記光源はストリップ状又はＬ字状であることを特徴とする
請求項１に記載の光通信装置。
【請求項１１】
前記コントローラは、前記少なくとも一つの光源のそれぞれの動作モードを独立して制御することを特徴とする
請求項１に記載の光通信装置。
【請求項１２】
前記光源の付近に位置する一つ又は複数の位置決め識別子をさらに備えることを特徴とする
請求項１に記載の光通信装置。
【請求項１３】
前記位置決め識別子は、特定の色を有するランプであることを特徴とする
請求項１２に記載の光通信装置。
【請求項１４】
前記第一の周波数は８０００回／秒以上であることを特徴とする
請求項１に記載の光通信装置。
【請求項１５】
光源を使用して情報を伝送するための方法であって、
伝送される情報に基づき、第一のモード又は第二のモードで動作するように前記光源を連続的に制御し、前記第一のモードは第一の情報を伝送することに用いられ、前記第二のモードは前記第一の情報と異なる第二の情報を伝送することに用いられ、
ここで、前記第一のモードで、前記光源から発された光の属性は第一の周波数で変化し、これにより、ＣＭＯＳ画像センサーで前記光源を撮影する時に取得された前記光源の画像に縞が現れ、前記第二のモードで、前記光源から発された光については、ＣＭＯＳ画像センサーで前記光源を撮影する時に取得された前記光源の画像に縞が現れないことを特徴とする
情報伝送方法。
【請求項１６】
前記第二のモードで、前記光源から発された光の属性は前記第一の周波数と異なる第二の周波数で変化することを特徴とする
請求項１５に記載の方法。
【請求項１７】
前記第二の周波数は第一の周波数より大きいことを特徴とする
請求項１６に記載の方法。
【請求項１８】
前記第一のモードで第一の周波数で変化する光の属性は前記第二のモードで第二の周波数で変化する光の属性と同じであることを特徴とする
請求項１６に記載の方法。
【請求項１９】
前記属性は光の強度であることを特徴とする
請求項１８に記載の方法。
【請求項２０】
前記第一のモードで、前記光源は前記第一の周波数でオン及びオフになり、前記第二のモードで、前記光源は前記第二の周波数でオン及びオフになることを特徴とする
請求項１９に記載の方法。
【請求項２１】
前記属性は光の波長であることを特徴とする
請求項１８に記載の方法。
【請求項２２】
前記第二のモードで、前記光源から発された光の属性が変化しないことを特徴とする
請求項１５に記載の方法。
【請求項２３】
前記第二のモードで、前記光源へ直流電流を提供することを特徴とする
請求項２２に記載の方法。
【請求項２４】
前記光源が経時的に前記第一のモード又は前記第二のモードで連続的に動作することにより、バイナリデータ０と１のシーケンスを伝送することを特徴とする
請求項１５に記載の方法。
【請求項２５】
光源を使用して情報を伝送するための装置であって、前記光源を制御するためのコントローラを備え、前記コントローラが請求項１５〜２４のいずれかに記載の方法を実現するように構成されることを特徴とする
情報伝送装置。
【請求項２６】
請求項１〜１４のいずれかに記載の光通信装置によって伝送された情報を受信するための方法であって、
ＣＭＯＳ画像センサーによって光源の画像を取得することと、
前記画像における前記光源の位置に対応する部分に縞が存在するか否かを判定することと、
縞が存在するか否かに基づき、前記光源が第一の情報又は前記第一の情報と異なる第二の情報が伝送されたかを確定することとを含むことを特徴とする
情報受信方法。
【請求項２７】
ＣＭＯＳ画像センサーによって前記光源の連続したマルチフレーム画像を取得し、それによって第一の情報と第二の情報からなる情報シーケンスを確定することを特徴とする
請求項２６に記載の方法。
【請求項２８】
前記画像における前記光源の位置に対応する部分に縞が存在するか否かを判定することは、
前記画像に光通信装置の一つ又は複数の位置決め識別子を識別することと、
前記一つ又は複数の位置決め識別子の位置に基づいて前記画像における前記光源の位置に対応する部分を確定することと、
前記部分に縞が存在するか否かを判定することとを含むことを特徴とする
請求項２６に記載の方法。
【請求項２９】
請求項１〜１４のいずれかに記載の光通信装置によって伝送された情報を受信するための装置であって、ＣＭＯＳ画像センサー、プロセッサ、およびメモリを備え、前記メモリにコンピュータプログラムが記憶され、前記コンピュータプログラムが前記プロセッサに実行される時に請求項２６〜２８のいずれかに記載の方法を実現することを特徴とする
情報受信装置。
【請求項３０】
記憶媒体であって、コンピュータプログラムを記憶し、前記コンピュータプログラムが実行される時に請求項１５〜２４及び２６〜２８のいずれかに記載の方法を実現することを特徴とする
記憶媒体。
【請求項３１】
少なくとも一つの光源と、
コントローラと、
ＣＭＯＳ画像センサーを備える装置と、を含む光通信システムであって、
前記コントローラは前記少なくとも一つの光源のそれぞれが少なくとも２つのモードで動作するように制御し、前記少なくとも２つのモードは第一のモードと第二のモードとを含み、前記第一のモードは第一の情報を伝送することに用いられ、前記第二のモードは前記第一の情報と異なる第二の情報を伝送することに用いられ、且つ、前記少なくとも一つの光源のいずれかの光源において、前記第一のモードで、前記光源から発された光の属性は第一の周波数で変化しと、
前記装置は、前記少なくとも一つの光源を撮影するように構成され、前記光源が前記第一のモードで動作する場合、前記装置によって取得された前記光源の画像に縞が現れ、前記光源が前記第二のモードで動作する場合、前記装置によって取得された前記光源の画像に縞が現れないことを特徴とする
光通信システム。
【請求項３２】
前記第二のモードで、前記光源から発された光の属性は前記第一の周波数と異なる第二の周波数で変化することを特徴とする
請求項３１に記載の光通信システム。
【請求項３３】
前記第二のモードで、前記光源から発された光の属性は変更しないことを特徴とする
請求項３１に記載の光通信システム。
【請求項３４】
光通信方法であって、
伝送される情報に基づき、第一のモード又は第二のモードで動作するように光源を制御し、ここで、前記第一のモードは第一の情報を伝送することに用いられ、前記第二のモードは前記第一の情報と異なる第二の情報を伝送することに用いられ、且つ、前記第一のモードで、前記光源から発された光の属性は第一の周波数で変化し、これにより、ＣＭＯＳ画像センサーで前記光源を撮影する時に取得された前記光源の画像に縞が現れ、前記第二のモードで、前記光源から発された光については、ＣＭＯＳ画像センサーで前記光源を撮影する時に取得された前記光源の画像に縞が現れないことと、
ＣＭＯＳ画像センサーによって前記光源の連続したマルチフレーム画像を取得することと、
前記光源の各フレーム画像に縞が存在するか否かを判定することと、
縞が存在するか否かに基づき、前記光源が第一の情報又は前記第一の情報と異なる第二の情報を伝送するかを確定することとを含むことを特徴とする
光通信方法。
【請求項３５】
前記第二のモードで、前記光源から発された光の属性は前記第一の周波数と異なる第二の周波数で変化することを特徴とする
請求項３４に記載の光通信システム。
【請求項３６】
前記第二のモードで、前記光源から発された光の属性は変更しないことを特徴とする
請求項３４に記載の光通信システム。
【請求項３７】
少なくとも一つの光源と、
コントローラと、を備え、
前記コントローラとは、前記少なくとも一つの光源のそれぞれが少なくとも２つのモードで動作するように制御し、前記少なくとも２つのモードは第一のモードと第二のモードとを含み、前記第一のモードは第一の情報を伝送することに用いられ、前記第二のモードは前記第一の情報と異なる第二の情報を伝送することに用いられ、
前記少なくとも一つの光源のいずれかの光源において、前記第一のモードで、前記光源から発された光の属性は第一の周波数で変化し、これにより、ＣＭＯＳ画像センサーで前記光源を撮影する時に取得された前記光源の画像に縞が現れ、前記第二のモードで、前記光源から発された光の属性は第二の周波数で変更し、これにより、ＣＭＯＳ画像センサーで前記光源を撮影する時に取得された前記光源の画像に前記第一のモードでの縞と異なる縞が現れることを特徴とする
光通信装置。
【請求項３８】
前記第一の周波数は第二の周波数と同じであることを特徴とする
請求項３７に記載の光通信装置。
【請求項３９】
前記少なくとも２つのモードは、前記第一の情報と前記第二の情報と異なる第三の情報を伝送することに用いられる第三のモードをさらに含み、前記第三のモードで、前記光源から発された光については、ＣＭＯＳ画像センサーで前記光源を撮影する時に取得された前記光源の画像に縞が現れないことを特徴とする
請求項３７に記載の光通信装置。
【請求項４０】
光源を使用して情報を伝送するための方法であって、
伝送される情報に基づき、第一のモード又は第二のモードで動作するように前記光源を制御し、前記第一のモードは第一の情報を伝送することに用いられ、前記第二のモードは前記第一の情報と異なる第二の情報を伝送することに用いられることと、
前記第一のモードで、前記光源から発された光の属性は第一の周波数で変化し、これにより、ＣＭＯＳ画像センサーで前記光源を撮影する時に取得された前記光源の画像に縞が現れ、前記第二のモードで、前記光源から発された光の属性は第二の周波数で変化し、これにより、ＣＭＯＳ画像センサーで前記光源を撮影する時に取得された前記光源の画像に前記第一のモードでの縞と異なる縞が現れることと、を含むことを特徴とする
情報伝送方法。
【請求項４１】
前記第一の周波数は第二の周波数と同じであることを特徴とする
請求項４０に記載の方法。
【請求項４２】
伝送される情報に基づき、第三のモードで動作するように前記光源を制御し、前記第三のモードは前記第一の情報と前記第二の情報と異なる第三の情報を伝送することに用いられ、前記第三のモードで、前記光源から発された光については、ＣＭＯＳ画像センサーで前記光源を撮影する時に取得された前記光源の画像に縞が現れないことをさらに含むことを特徴とする
請求項４０に記載の方法。
【発明の詳細な説明】
【技術分野】
【０００１】
本発明は光情報技術分野に属し、より具体的に光通信装置、該光通信装置を含む光通信システム並びに対応する情報伝送及び受信の方法に関する。
【背景技術】
【０００２】
バーコードと２次元コードが情報の符号化に広く用いられている。これらのバーコードと２次元コードが特定の装置又はソフトウェアで走査される場合、対応する情報が識別される。しかしながら、バーコードと２次元コードの識別距離が非常に制限される。例えば、２次元コードに対して、携帯電話のカメラで走査する場合、該携帯電話は、通常、短い距離内に配置されなければならなく、該距離が一般的に２次元コードの幅の約１５倍である。したがって、長距離識別（例えば２次元コードの幅の２００倍に相当する距離）に対して、通常、バーコードと２次元コードを実現できなく、又は、非常に大きいバーコードと２次元コードをカスタマイズする必要があるが、これにより、コストが増加し、且つ多くの場合、他のさまざまな制限により、実現できない。
【０００３】
ＣＭＯＳイメージング（Imaging）装置は現在広く用いられているイメージング装置であり、図１に示すように、イメージセンシングユニット（画像センサーとも呼ばれる）アレイ及びいくつかの他の素子を含む。画像センサーアレイはフォトダイオードアレイであってもよく、各画像センサーが一つの画素に対応する。各列の画像センサーが一つの列増幅器に対応し、列増幅器の出力信号がＡ／Ｄ変換器（ＡＤＣ）に送信されてアナログデジタル変換され、その後インタフェース回路を介して出力される。画像センサーアレイにおけるいずれかの画像センサーに対して、露光の開始時にゼロクリアを行い、露光時間が経過した後に信号値を読み出す。ＣＭＯＳイメージング装置では、データがシリアルに読み出されるため、ゼロクリア／露光／読み出しがパイプラインに類似する方式で行ごとにしか実行されることができず、そして画像センサーアレイの全ての行の処理が完了された後にそれを一つのフレーム画像に合成する。したがって、ＣＭＯＳ画像センサーアレイ全体は実際には行ごとに露光され（いくつかの状況でＣＭＯＳ画像センサーアレイが毎回複数の行ごとに露光する方式を採用する可能性もある）、これにより、各行間に小さい遅延が存在する。該小さい遅延のため、光源が一定の周波数で点滅する場合、ＣＭＯＳイメージング装置で撮影された画像に望ましくない縞が現れ、撮影効果に影響する。
【０００４】
理論的には、ＣＭＯＳイメージング装置で撮影された画像の縞を用いて情報を伝送（バーコードと同様に）可能であり、そして縞によってできるだけ多くの情報を伝送しようとする試みがなされているものの、これには、通常、ＣＭＯＳイメージング装置が光源にできるだけ近づく必要があり、常にほぼ固定した距離の位置にあることが好ましく、且つさらに細かい時間同期、各縞の境界に対する正確な識別、各縞の幅に対する正確な検出が必要であり、したがって、実践中にその安定性と信頼性は満足のいくものではなく、広く使用されていない。
【発明の概要】
【課題を解決するための手段】
【０００５】
情報に対する長距離識別を実現するために、本発明の一つの態様による光通信装置は、少なくとも一つの光源と、
コントローラとを備え、前記コントローラとは、前記少なくとも一つの光源のそれぞれが少なくとも２つのモードで動作するように制御を行い、前記少なくとも２つのモードは第一のモードと第二のモードを含み、前記第一のモードは第一の情報を伝送することに用いられ、前記第二のモードは前記第一の情報と異なる第二の情報を伝送することに用いられ、前記少なくとも一つの光源のいずれかの光源において、前記第一のモードで、前記光源から発された光の属性は第一の周波数で変化し、これにより、ＣＭＯＳ画像センサーで前記光源を撮影する時に取得された前記光源の画像に縞が現れ、前記第二のモードで、前記光源から発された光については、ＣＭＯＳ画像センサーで前記光源を撮影する時に取得された前記光源の画像に縞が現れない。
【０００６】
光源を使用して情報を伝送するための方法であって、
伝送される情報に基づき、第一のモード又は第二のモードで動作するように前記光源を連続的に制御し、前記第一のモードは第一の情報を伝送することに用いられ、前記第二のモードは前記第一の情報と異なる第二の情報を伝送することに用いられ、ここで、前記第一のモードで、前記光源から発された光の属性は第一の周波数で変化し、これにより、ＣＭＯＳ画像センサーで前記光源を撮影する時に取得された前記光源の画像に縞が現れ、前記第二のモードで、前記光源から発された光については、ＣＭＯＳ画像センサーで前記光源を撮影する時に取得された前記光源の画像に縞が現れない。
【０００７】
本発明の別の態様による光源を用いて情報を伝送するための装置は、前記光源を制御するためのコントローラを備え、前記コントローラは上記の光源を用いて情報を伝送する方法を実現するように構成される。
【０００８】
本発明の別の態様による記憶媒体は、コンピュータプログラムを記憶し、前記コンピュータプログラムが実行される時に上記の光源を用いて情報を伝送するための方法を実現することができる。
【０００９】
本発明の別の態様による前記光通信装置で伝送された情報を受信するための方法は、ＣＭＯＳ画像センサーによって光源の画像を取得することと、前記画像における前記光源の位置に対応する部分に縞が存在するか否かを判定することと、縞が存在するか否かに基づき、前記光源が第一の情報又は前記第一の情報と異なる第二の情報を伝送したかを確定することとを含む。
【００１０】
本発明の別の態様による前記光通信装置で伝送された情報を受信するための装置は、ＣＭＯＳ画像センサー、プロセッサとメモリとを備え、前記メモリにコンピュータプログラムが記憶され、前記コンピュータプログラムが前記プロセッサによって実行される時に上記の光通信装置で伝送された情報を受信するための方法を実現することができる。
【００１１】
本発明の別の態様による記憶媒体は、コンピュータプログラムを記憶し、前記コンピュータプログラムが実行される時に上記の光通信装置で伝送された情報を受信するための方法を実現することができる。
【００１２】
本発明の別の態様による光通信システムは、少なくとも一つの光源と、
コントローラと、ＣＭＯＳ画像センサーを備える装置と、を含む光通信システムであって、  前記コントローラは前記少なくとも一つの光源のそれぞれが少なくとも２つのモードで動作するように制御し、前記少なくとも２つのモードは第一のモードと第二のモードとを含み、前記第一のモードは第一の情報を伝送することに用いられ、前記第二のモードは前記第一の情報と異なる第二の情報を伝送することに用いられ、且つ、前記少なくとも一つの光源のいずれかの光源において、前記第一のモードで、前記光源から発された光の属性は第一の周波数で変化しと、  前記装置は、前記少なくとも一つの光源を撮影するように構成され、前記光源が前記第一のモードで動作する場合、前記装置によって取得された前記光源の画像に縞が現れ、前記光源が前記第二のモードで動作する場合、前記装置によって取得された前記光源の画像に縞が現れない。
【００１３】
本発明の別の態様による光通信方法は、伝送される情報に基づき、第一のモード又は第二のモードで動作するように光源を制御し、ここで、前記第一のモードは第一の情報を伝送することに用いられ、前記第二のモードは前記第一の情報と異なる第二の情報を伝送することに用いられ、且つ、前記第一のモードで、前記光源から発された光の属性は第一の周波数で変化し、これにより、ＣＭＯＳ画像センサーで前記光源を撮影する時に取得された前記光源の画像に縞が現れ、前記第二のモードで、前記光源から発された光については、ＣＭＯＳ画像センサーで前記光源を撮影する時に取得された前記光源の画像に縞が現れないことと、  ＣＭＯＳ画像センサーによって前記光源の連続したマルチフレーム画像を取得することと、  前記光源の各フレーム画像に縞が存在するか否かを判定することと、  縞が存在するか否かに基づき、前記光源が第一の情報又は前記第一の情報と異なる第二の情報を伝送するかを確定することとを含む。
【００１４】
本発明の別の態様による光通信装置は、少なくとも一つの光源と、コントローラと、を備え、前記コントローラとは、前記少なくとも一つの光源のそれぞれが少なくとも２つのモードで動作するように制御し、前記少なくとも２つのモードは第一のモードと第二のモードとを含み、前記第一のモードは第一の情報を伝送することに用いられ、前記第二のモードは前記第一の情報と異なる第二の情報を伝送することに用いられ、前記少なくとも一つの光源のいずれかの光源において、前記第一のモードで、前記光源から発された光の属性は第一の周波数で変化し、これにより、ＣＭＯＳ画像センサーで前記光源を撮影する時に取得された前記光源の画像に縞が現れ、前記第二のモードで、前記光源から発された光の属性は第二の周波数で変更し、これにより、ＣＭＯＳ画像センサーで前記光源を撮影する時に取得された前記光源の画像に前記第一のモードでの縞と異なる縞が現れる。
【００１５】
本発明の別の態様による光源を用いて情報を伝送するための方法は、伝送される情報に基づき、第一のモード又は第二のモードで動作するように前記光源を制御し、前記第一のモードは第一の情報を伝送することに用いられ、前記第二のモードは前記第一の情報と異なる第二の情報を伝送することに用いられることと、前記第一のモードで、前記光源から発された光の属性は第一の周波数で変化し、これにより、ＣＭＯＳ画像センサーで前記光源を撮影する時に取得された前記光源の画像に縞が現れ、前記第二のモードで、前記光源から発された光の属性は第二の周波数で変化し、これにより、ＣＭＯＳ画像センサーで前記光源を撮影する時に取得された前記光源の画像に前記第一のモードでの縞と異なる縞が現れることと、を含む。
【図面の簡単な説明】
【００１６】
以下に図面を参照して本発明の実施例をさらに説明する。ここで、
【図１】ＣＭＯＳイメージング装置を示す図である。
【図２】ＣＭＯＳイメージング装置が画像を取得する方向図である。
【図３】本発明の一実施例による光源を示す図である
【図４】本発明の別の実施例による光源を示す図である。
【図５】ＣＭＯＳイメージング装置のイメージングタイミング図である。
【図６】ＣＭＯＳイメージング装置の別のイメージングタイミング図である。
【図７】光源が第一のモードで動作する場合の異なる段階でのＣＭＯＳイメージング装置における画像を示す図である。
【図８】本発明の一実施例による光源が第一のモードで動作する場合のＣＭＯＳイメージング装置のイメージングタイミング図である。
【図９】本発明の一実施例による光源が第二のモードで動作する場合のＣＭＯＳイメージング装置のイメージングタイミング図である。
【図１０】本発明の別の実施例による光源が第一のモードで動作する場合のＣＭＯＳイメージング装置のイメージングタイミング図である。
【図１１】本発明の別の実施例による図８と異なる縞を実現するためのＣＭＯＳイメージング装置のイメージングタイミング図である。
【図１２】異なる設定で取得された光源の２つの縞付き画像を示す図である。
【図１３】異なる設定で取得された光源の２つの縞付き画像を示す図である。
【図１４】取得された光源の縞なし画像を示す図である。
【図１５】本発明の一実施例による３つの独立した光源を用いた光学ラベルの一つの画像を示す図である。
【図１６】本発明の一実施例による位置決め識別子を含む光学ラベルの一つの画像を示す図である。
【発明を実施するための形態】
【００１７】
本発明の目的、技術的解決手段及び利点をより明確にするために、以下に図面と組み合わせて具体的な実施例で本発明をさらに詳細に説明する。
【００１８】
本発明の一実施例は、異なる光を発することで異なる情報を伝送することができる光通信装置に関する。
【００１９】
該光通信装置は本明細書で「光学ラベル」とも呼ばれ、両者が本出願全体で交換可能に用いられる。光通信装置は、光源とコントローラを備え、該コントローラが２つ又は複数のモードで動作するように前記光源を制御するように構成され、前記２つ又は複数のモードが第一のモードと第二のモードを含み、ここで、前記第一のモードで、前記光源から発された光の属性が第一の周波数で変化し、これにより、第一の情報を伝送し、前記第二のモードで、前記光源から発された光属性が第二の周波数で変化するか又は変更しないことで、第一の情報と異なる第二の情報を伝送する。
【００２０】
光の属性は本願でＣＭＯＳイメージング素子により識別可能ないずれかの属性を指し、例えば光の強度、色、波長などの視認可能な属性であってもよいし、視認できない他の属性、例えば目の可視範囲外の電磁波長の強度、色、又は波長変化、又は上記の属性のいずれかの組み合わせであってもよい。したがって、光の属性変化は単一の属性の変更であってもよいし、２つ又は複数の属性の組み合わせの変更であってもよい。光の強度を属性として選択する場合、光源をオン又はオフにすることで簡単に実現することができる。以下に簡単にするために、光源をオン又はオフにすることで光の属性を変更するが、光の属性を変更するための他の方法も可能であることは当業者が理解できる。説明すべきものとして、上記第一のモードで第一の周波数で変化する光の属性は上記第二のモードで第二の周波数で変化する属性と同じであっても又は異なってもよい。好ましくは、前記第一のモードと第二のモードで変化する光の属性が同じである。
【００２１】
光源が第一のモード又は第二のモードで動作する場合、ＣＭＯＳイメージング装置又はＣＭＯＳイメージング装置を有する装置（例えば携帯電話、タブレットコンピュータ、インテリジェントメガネなど）を使用して光源に対してイメージングすることができる。以下、図２に示すように、携帯電話がＣＭＯＳイメージング装置として使用されることを例として説明する。該携帯電話の行走査方向が図２に垂直方向として示されるが、当業者は、基礎となるハードウェア配置によって、行走査方向が水平方向であってもよいことを理解することができる。
【００２２】
光源は様々な形態の光源であってもよく、そのいずれかの属性がＣＭＯＳイメージング装置にセンシングされることが可能であり異なる周波数で変化可能であれば良い。例えば、該光源は単一のＬＥＤランプ、複数のＬＥＤランプからなるアレイ、ディスプレイスクリーン又はそのうちの一部であってもよく、さらには光の照射領域（例えば壁上の光照射領域）も光源として使用されてもよい。該光源の形状が様々な形状、例えば円形、正方形、矩形、ストリップ状、Ｌ字状などであってもよい。光源には各種の一般的な光学デバイス、例えば導光板、ソフトライトプレート、ディフューザーなどが含まれてもよい。一つの好ましい実施例では、光源は複数のＬＥＤランプかなる２次元アレイであってもよく、該２次元アレイの一つの次元が別の次元より長く、好ましくは、両者間の割合が約６−１２：１である。例えば、該ＬＥＤランプアレイは一列に並んでいる複数のＬＥＤランプから構成されてもよい。発光する時に、該ＬＥＤランプアレイはほぼ長方形の光源として現れることができ、そして該光源の動作がコントローラによって制御される。
【００２３】
図３は本発明の一実施例による光源を示す図である。ＣＭＯＳイメージング装置を使用して図３に示す光源に対してイメージングする場合、他の条件が同じである状況でできるだけ多くの縞をイメージングするように、図３に示す光源の長辺がＣＭＯＳイメージング装置の行方向（例えば図２に示す携帯電話の行走査方向）に垂直又はほぼ垂直になることが好ましい。しかしながら、ユーザがその携帯電話の走査方向を知らない場合があり、携帯電話が様々な姿勢で認識でき、そして垂直画面と水平画面のいずれも最大識別距離に達することを保証するために、光源は複数の長方形の組み合わせ、例えば、図４に示すＬ字状の光源であってもよい。
【００２４】
別の実施例では、光源は面状光源に限定されるものではなく、立体光源、例えば、ストリップ状の円筒光源、立方体光源などとして実現されてもよい。該光源は例えば広場に配置されたり、屋内場所（例えばレストラン、会議室など）のほぼ中央位置につるされたりすることができ、これにより、付近の様々な方向に位置するユーザが全て携帯電話で光源を撮影して、該光源で伝送された情報を取得することができる。
【００２５】
図５はＣＭＯＳイメージング装置のイメージングタイミング図であり、その中の各行がＣＭＯＳイメージング装置の１行のセンサーに対応する。ＣＭＯＳイメージングセンサアレイの各行がイメージングする場合、主に露光時間と読み出し時間という２つの段階に関わる。各行の露光時間が重なる可能性があるが、しかし、読み出し時間は重ならない。
【００２６】
説明すべきものとして、図５に少数の行のみが概略的に示されているが、実際のＣＭＯＳイメージング装置では、解像度に応じて一般的に数千行のセンサーが存在する。例えば、１０８０ｐの解像度の場合、それは１９２０×１０８０の画素を有し、数字１０８０は１０８０本の走査行があることを表し、数字１９２０は各行に１９２０の画素があることを表す。１０８０ｐの解像度の場合、各行の読み出し時間がほぼ８．７マイクロ秒（即ち、８．７×１０−６秒）である。
【００２７】
露光時間が長すぎて隣接する行の間の露光時間が多く重なる場合、イメージングする時に明らかな推移縞、例えば純粋な黒画素行と純粋な白画素行の間の異なるグレースケールを有する複数本の画素行が現れる可能性がある。本発明では、できるだけ明らかな画像行が現れることができることが望ましく、このために、ＣＭＯＳイメージング装置（例えば携帯電話）の露光時間を設定又は調整（例えば、携帯電話にインストールされたＡＰＰによって設定又は調整）して、比較的短い露出時間を選択することができる。一つの好ましい実施例では、露光時間をほぼ各行の読み出し時間以下にすることができる。１０８０ｐの解像度を例とすると、その各行の読み出し時間がほぼ８．７マイクロ秒であり、この場合、携帯電話の露出時間を約８．７マイクロ秒以下に調整することを考慮することができる。この場合のＣＭＯＳイメージング装置のイメージングタイミング図が図６に示される。この場合、各行の露光時間が基本的に重ならず、又は少ない部分で重なるため、イメージングする時に明らかな境界を有する縞を取得することができ、それがより容易に識別される。説明すべきは、図６は本発明の一つの好ましい実施例だけであり、より長い（例えば各行の読み取り時間の２倍、３倍又は４倍以下など）又はより短い露光時間も可能である。例えば、本願の図１２及び図１３に示す縞付き画像のイメージングプロセスにおいて、各行の読み出し時間がほぼ８．７マイクロ秒であり、設定された各行の露光時間が１４マイクロ秒である。また、縞が現れるために、光源の一つの周期の時間長を露光時間の約２倍またはそれ以上に設定することができ、好ましくは、露光時間の約４倍またはそれ以上に設定することができる。
【００２８】
図７にはコントローラを使用して光源を第一のモードで動作させる場合の異なる段階でのＣＭＯＳイメージング装置における画像が示され、該第一のモードで、光源から発された光の属性を一定の周波数で変更させ、本例では、光源をオンとオフにすることである。
【００２９】
図７の上部に異なる段階の光源の状態変化図が示され、下部に異なる段階での該光源のＣＭＯＳイメージング装置における画像が示され、ここで、ＣＭＯＳイメージング装置の行方向が垂直方向であり、そして左から右へ走査する。ＣＭＯＳイメージング装置が行ごとに走査して画像を採取するため、高周波点滅信号を撮影する場合、取得されたフレーム画像における光源のイメージング位置に対応する部分に図７の下部に示される縞が形成され、具体的には、期間１で光源がオンになり、この期間で露光された最も左の部分の走査線が明るい縞を示し、期間２で光源がオフになり、この期間で露光された走査線が暗い縞を示し、期間３で光源がオンになり、この期間で露光された走査線が明るい縞を示し、期間４で光源がオフになり、この期間で露光された走査線は暗い縞を示す。
【００３０】
光源の点滅周波数を設定すること、又は光源の毎回のオン／オフ時間長を設定することで、現れる縞の幅を調整することができ、より長いオン又はオフ時間が一般的により広い縞に対応する。例えば、図６に示す状況に対して、光源の毎回のオン／オフの時間長がいずれもＣＭＯＳイメージング装置の各行の露光時間とほぼ等しく設定されている場合（該露光時間が携帯電話にインストールされたＡＰＰによって設定又は手動で設定されてもよい）、イメージングする時に１つの画素だけの幅の縞が現れることができる。光学ラベルの長距離識別を実現できるために、縞が狭いほど良い。しかし、実践中、光の干渉、同期などにより、１つの画素だけの幅の縞はあまりに安定しなく、又は容易に識別されなく、そのため、識別の安定性を向上させるために、２つの画素の幅の縞を実現することが好ましい。例えば、図６に示す状況に対して、光源の毎回のオン又はオフの時間長をいずれもＣＭＯＳイメージングの各行の露光時間長の約２倍に設定することにより、約２つの画素の幅の縞を実現することができ、具体的には、図８に示すように、ここで、図８の上部の信号が光源制御信号であり、その高レベルが光源のオンに対応し、低レベルが光源のオフに対応する。図８に示す実施例では、光源制御信号のデューティサイクルを約５０％に設定し、各行の露光時間長を各行の読み出し時間にほぼ等しく設定するが、当業者は、他の設定も可能であり、識別可能な縞さえ現れば良いことを理解することができる。説明を簡単にするために、図８では、光源のオンとオフ時間がＣＭＯＳイメージング装置のある行の露光時間長の開始又は終了時間にほぼ対応するように、光源とＣＭＯＳイメージング装置の同期が用いられるが、当業者は、両者が図８のように同期できなくても、ＣＭＯＳイメージング装置に明らかな縞が現れてもよく、この時に、いくつかの推移縞が存在する可能性があるが、光源が常にオフにある時に露光された行（即ち最も暗い縞）と光源が常にオンにある時に露光された行（即ち最も明るい縞）が必ず存在し、両者の間隔が一つの画素であることを理解することができる。このような画素行の明暗変化（即ち縞）は、（例えば、光源のイメージング領域内のいくつかの画素の輝度又はグレースケールを比較することによって）容易に検出されることができる。さらに、光源が常にオフにある時に露光された行（即ち最も暗い縞）と光源が常にオンにある時に露光された行（即ち最も明るい縞）がなくても、露光時間内に光源がオンにある部分ｔ１が一定の時間長より小さく又は露光時間長全体に占める割合が小さい行（即ち暗い縞）と、露光時間内に光源がオンにある部分ｔ２が一定の時間長より大きく又は露光時間長に占める割合が大きい行（即ち明るい縞）が存在し、且つｔ２−ｔ１＞明暗縞差閾値（例えば１０マイクロ秒）、又はｔ２／ｔ１＞明暗縞差閾値（例えば２）である場合、これらの画素行の間の明暗変化も検出可能である。上記明暗縞差閾値と割合閾値は光学ラベルの発光強度、感光デバイスの属性、撮影距離などに関連する。当業者は、他の閾値が可能であり、コンピュータで識別可能な縞さえ現ればいいことを理解することができる。縞が識別された場合、光源で伝送された情報、例えばバイナリデータ０又はデータ１を確定することができる。
【００３１】
本発明の一実施例による縞識別方法は、光学ラベルの画像を取得し、光源のイメージング領域を投影により分割し、異なる配置（例えば異なる距離、異なる光源点滅周波数など）での縞付きピクチャと縞なしピクチャを収集し、全ての収集されたピクチャを一つの特定のサイズ、例えば６４＊１６ピクセルに統一して正規化し、各画素特徴を入力特徴として抽出し、機械学習分類器を構築し、バイナリ分類判定を行って縞ピクチャ又は非縞付きピクチャであるかを判定することである。縞識別に対して、当業者はさらに本分野で知られているいずれかの他の方法を用いて処理することができ、これに対して詳細に説明しない。
【００３２】
一つの５ｃｍの長さのストリップ状の光源に対して、現在の市販されている一般的な携帯電話を使用し、解像度を１０８０ｐに設定し、それから１０メートルの場所（即ち、距離が光源長さの２００倍である）で撮影する場合、該ストリップ状の光源は、その長手方向に約６つの画素を占め、各縞の幅が２つの画素である場合、該６つの画素の幅範囲内に少なくとも一つの明らかな縞が現れ、非常に容易に識別可能である。より高い解像度を設定し、又は光学ズームを使用し、より長い距離、例えば距離が光源の長さの３００倍又は４００倍である場合でも、縞を識別することができる。
【００３３】
コントローラは光源を第二のモードに動作させることもできる。一実施例では、第二のモードで、第一のモードと異なる別の周波数で光源からの光の属性を変更し、例えば光源をオン及びオフにする。一実施例では、第一のモードと比較して、コントローラは光源のオン及びオフの周波数を向上させることができる。図６に示す状況に対して、光源は、ＣＭＯＳイメージング装置の各行の露光時間内で少なくとも一回オン及びオフになるように配置されてもよい。図９には各行の露光時間内で光源が一回だけオン及びオフになる状況が示され、ここで、図９の上部の信号が光源制御信号であり、その高レベルが光源のオンに対応し、低レベルが光源のオフに対応する。各行の露光時間内で、光源が同じ方式で一回オンとオフになり、各露光時間で取得された露光強度エネルギーがほぼ均等であるため、光源の最終的な画像の各画素行の間の輝度に明らかな違いがなく、それによって縞が存在しない。当業者は、より高いオン及びオフ周波数も可能であることを理解することができる。また、説明を簡単にするために、図９では、光源のオン時間がＣＭＯＳイメージング装置のある行の露光時間長の開始時間にほぼ対応するように、光源とＣＭＯＳイメージング装置の同期が用いられるが、当業者は、両者が図９のように同期できなくても、光源の最終的な画像の各画素行の間の輝度にも明らかな違いがなく、それによって縞が存在しないことが理解できる。縞を識別できない場合、光源で伝送された情報、例えばバイナリデータ１又はデータ０を確定することができる。人間の目にとって、視角の持続性のため、本発明の光源が上記第一のモードと第二のモードで動作する時に、人間の目はいかなる点滅現象を知覚しない。また、第一のモードと第二のモードが切り替えられる時に人間の目が点滅現象を知覚する可能性があることを回避するために、第一のモードと第二のモードのデューティサイクルをほぼ等しく設定することができ、それによって異なるモードでのほぼ同じ光量を実現する。
【００３４】
別の実施例では、第二のモードで、光源に直流電流を提供することができ、これにより光源は属性が基本的に変更しない光を発し、それによってＣＭＯＳ画像センサーで光源を撮影する時に取得された該光源のフレーム画像に縞が現れない。また、この場合、異なるモードでのほぼ同じ光量を実現し、第一のモードと第二のモードが切り替えられる時に人間の目が知覚する可能性がある点滅現像を回避することもできる。
【００３５】
上記の図８には光源から発された光の強度を変更させる（例えば、光源をオン又はオフにする）ことで縞が現れる実施例が説明され、別の実施例では、図１０に示すように、光源から発された光の波長又は色を変化させることで縞が現れることもできる。図１０に示す実施例では、光源には赤色光を発することができる赤色ランプと青色光を発することができる青色ランプが含まれる。図１０の上部の２つの信号がそれぞれ赤色光制御信号と青色光制御信号であり、ここで、高レベルが光源のオンに対応し、低レベルが光源のオフに対応する。該赤色光制御信号と青色光制御信号の位相が１８０°シフトし、即ち、両者のレベルが逆である。赤色光制御信号と青色光制御信号により、光源は赤色光と青色光を外部に交互に発することができ、そのため、ＣＭＯＳイメージング装置を使用して光源をイメージングする時に赤青縞が現れることができる。
【００３６】
ＣＭＯＳイメージング装置で撮影されたフレーム画像における光源に対応する部分に縞が存在するか否かを確定することにより、各フレーム画像で伝送された情報、例えばバイナリデータ１又はデータ０を確定することができる。さらに、ＣＭＯＳイメージング装置で光源の連続したマルチフレーム画像を撮影することにより、バイナリデータ１とデータ０からなる情報シーケンスを確定し、光源からＣＭＯＳイメージング装置（例えば携帯電話）への情報伝送を実現することができる。一つの実施形態では、ＣＭＯＳイメージング装置で光源の連続したマルチフレーム画像を撮影する場合、コントローラによって制御することができ、これにより、光源の動作モードの間の切り替え時間間隔がＣＭＯＳイメージング装置の一つのフルフレームイメージングのための時間長に等しく、それによって光源とイメージング装置のフレーム同期、即ち各フレームで１ビットの情報を伝送することを実現する。３０フレーム／秒の撮影速度に対して、３０ビットの情報を秒ごとに送信でき、コードスペースが２３０に達し、該情報は例えば開始フレームマーク（フレームヘッダー）、光学ラベルＩＤ、パスワード、認証コード、ウェブサイト情報、アドレス情報、タイムスタンプ又はそれらの異なる組み合わせなどを含む。この構造化方法に従って、上記の様々な情報の順序関係を設定し、データパケット構造を形成することができる。一つの完全な該データパケットを受信するたびに、一つのグループの完全なデータ（一つのデータパケット）を取得したと見なされ、さらにそれに対してデータを読み取り、チェックして分析することができる。次の表に本発明の一実施例によるデータパケット構造が示される：
2020532908.tif 000003
【００３７】
上記の説明では、各フレーム画像における光源のイメージング位置に縞が存在するか否かを判定することにより、該フレーム画像で伝送された情報を確定した。他の実施例では、各フレーム画像における光源のイメージング位置にある異なる縞を識別することで該フレーム画像で伝送された異なる情報を確定することができる。例えば、第一のモードで、光源から発された光の属性が第一の周波数で変化し、これにより、ＣＭＯＳ画像センサーで光源を撮影する時に取得された光源の画像に第一の縞が現れることができ、第二のモードで、光源から発された光の属性が第二の周波数で変化し、これにより、ＣＭＯＳ画像センサーで光源を撮影する時に取得された光源の画像に前記第一の縞と異なる第二の縞が現れることができる。縞の違いは例えば異なる幅、色、輝度など又はそれらのいずれかの組み合わせに基づくことができ、該違いさえ識別できればいい。
【００３８】
一実施例では、異なる属性変化周波数に基づいて異なる幅の縞を実現することができ、例えば、第一のモードで、光源は図８に示す方式で動作することができ、これにより、約２つの画素の幅の第一の縞を実現し、第二のモードで、図８における光源制御信号の各周期における高レベルと低レベルの持続時間を、具体的に図１１に示すようにそれぞれ元の２倍に修正することができ、これにより、約４つの画素の幅の第二の縞を実現する。
【００３９】
別の実施例では、異なる色の縞を実現することができ、例えば、光源を、赤色光を発することができる赤色ランプと青色光を発することができる青色ランプが含まれるように設定することができ、第一のモードで、青色ランプをオフにし、赤色ランプを図８に示す方式で動作させることができ、これにより、赤黒縞を実現し、第二のモードで、赤色ランプをオフにし、青色ランプを図８に示す方式で動作させることができ、これにより、青黒縞を実現する。上記実施例では、第一のモードと第二のモードで同じ変化周波数を使用して赤黒縞と青黒縞を実現するが、第一のモードと第二のモードで異なる属性変化周波数を使用することができることは理解可能である。
【００４０】
また、当業者は、さらに２種類以上の縞を実現することにより２種類以上の情報を表すことができ、例えば、上記光源に赤色ランプと青色ランプが含まれる実施例において、さらに第三のモードを設定することができ、該第三のモードにおいて図１０に示す方式で赤色ランプと青色ランプを制御して赤青縞、即ち第三の情報を実現することができることを理解できる。当然に、選択可能に、さらに縞が現れないことで別の情報、第四の種類の情報を伝送することができる。
【００４１】
図１２には１秒あたり１６０００回の周波数で点滅するＬＥＤランプ（各周期の持続時間が６２．５マイクロ秒であり、ここでオン時間とオフ時間がそれぞれ約３１．２５マイクロ秒である）に対して、１０８０ｐの解像度のイメージング装置を使用し、各行の露光時間を１４マイクロ秒に設定する場合、実験で得られた画像上の縞が示される。図１２から分かるように、ほぼ２〜３つの画素の幅の縞が現れる。図１３には図１２におけるＬＥＤランプの点滅周波数を１秒あたり８０００回（各周期の持続時間が１２５マイクロ秒であり、ここでオン時間とオフ時間がそれぞれ約６２．５マイクロ秒である）に調整した後、他の条件が変化せずに実験で得られた画像上の縞が示される。図１３から分かるように、ほぼ５〜６つの画素の幅の縞が現れる。図１４には図１２におけるＬＥＤランプの点滅周波数を１秒あたり６４０００回（各周期の持続時間が１５．６マイクロ秒であり、ここでオン時間とオフ時間がそれぞれ約７．８マイクロ秒である）に調整した後、他の条件が変化せずに実験で得られた画像に縞が存在しないことが示され、その理由は各行の露光時間長１４マイクロ秒が基本的にＬＥＤランプの一つのオン時間と一つのオフ時間をカバーすることである。
【００４２】
以上に一つの光源を使用する状況が説明され、いくつかの実施例では、２つ以上の光源を使用することができる。コントローラは各光源の動作を独立して制御することができる。図１５は本発明の一実施例による３つの独立した光源を使用した光学ラベルの一つの画像であり、ここで、２つの光源のイメージング位置に縞が現れ、一つの光源のイメージング位置に縞が現れず、該グループの光源のこのフレーム画像が情報例えばバイナリデータ１１０の伝送に用いられてもよい。
【００４３】
一実施例では、光学ラベルには情報伝送のための光源の付近に位置する一つ又は複数の位置決め識別子がさらに含まれてもよく、該位置決め識別子が例えば特定の形状又は色のランプであってもよく、該ランプが例えば動作する時に点灯を維持する。また、該位置決め識別子は、ＣＭＯＳイメージング装置（例えば携帯電話）のユーザが光学ラベルを容易に見つけることに役立つ。また、ＣＭＯＳイメージング装置が光学ラベルを撮影するモードに設定される場合、位置決め識別子の画像が明らかであり、容易に識別される。したがって、情報伝送のための光源の付近に配置された一つ又は複数の位置決め識別子はさらに携帯電話が情報伝送のための光源の位置を迅速に確定することに役立つことができ、これにより、情報伝送のための光源のイメージング領域に縞が存在するか否かを識別することに役立つ。一実施例では、縞が存在するか否かを識別する場合、まず画像に位置決め識別子を識別し、それによって画像に光学ラベルの大まかな位置を見つけることができる。位置決め識別子が識別された後、位置決め識別子と情報伝送のための光源との相対的な位置関係に基づき、画像における一つ又は複数の領域を確定することができ、該領域が情報伝送のための光源のイメージング位置をカバーする。次に、これらの領域を識別し、縞が存在するか否か、どんな縞が存在するかを判定することができる。図１６は本発明の一実施例による位置決め識別子を含む光学ラベルの画像を示す図であり、それが水平方向に配置された３つの情報伝送のための光源、及び情報伝送のための光源の両側に位置する、垂直に配置された２つの位置決めインジケータランプを含む。
【００４４】
一実施例では、光学ラベルに環境光検出回路が含まれてもよく、該環境光検出回路が環境光の強度を検出することに用いられてもよい。コントローラは検出された環境光の強度に基づいて光源がオンになる時に発した光の強度を調整することができる。例えば、環境光が強い場合（例えば昼間）、光源から発された光の強度が大きくし、環境光が弱い場合（夜間など）、光源から発された光の強度が小さくする。
【００４５】
一実施例では、光学ラベルに環境光検出回路が含まれてもよく、該環境光検出回路が環境光の周波数を検出することに用いられてもよい。コントローラは検出された環境光の周波数に基づいて光源がオンになる時に発した光の周波数を調整することができる。例えば、環境光に同じ周波数で点滅する光源がある場合、光源から発された光が別の占用されていない周波数に切り替えられる。
【００４６】
従来技術における２次元コードの約１５倍の識別距離と比較して、本発明の光学ラベルの少なくとも２００倍の識別距離は明らかに利点を有する。該長距離識別能力は特に屋外での識別に適し、２００倍の識別距離を例とし、街路に設置された長さ５０ｃｍの光源に対して、該光源から１００メートル以内の誰でも携帯電話によって該光源とインタラクションを行うことができる。また、本発明の技術案ではＣＭＯＳイメージング装置が光学ラベルとの固定距離に位置する必要が求されなく、またＣＭＯＳイメージング装置と光学ラベルの時間的同期が要求されず、且つ各縞の境界と幅を正確に検出する必要がなく、したがって、実際の情報伝送中に極めて強い安定性と信頼性を有する。
【００４７】
本明細書における「各実施例」、「いくつかの実施例」、「一実施例」、又は「実施例」などに対する参考は、前記実施例と組み合わせて説明された特定の特徴、構造、又は性質が少なくとも一実施例に含まれることを指す。したがって、本明細書全体の様々な場所における「各実施例で」、「いくつかの実施例で」、「一実施例で」、又は「実施例で」などの語句の出現は、必ずしも同じ実施例を指すとは限らない。また、特定の特徴、構造、又は性質は一つ又は複数の実施例でいずれかの適切な方式で組合わせられてもよい。したがって、一つの実施形態と組み合わせて示され又は説明された特定の特徴、構造又は性質は、全体又は部分で一つ又は複数の実施例の特徴、構造、又は性質と制限なく組み合わせることができ、該組み合わせさえ論理的であれば良く又は動作できれば良い。また、本出願の図面における各要素は例示を目的としており、縮尺通りに描かれていない。
【００４８】
これにより、本発明の少なくとも一実施例のいくつかの態様が説明され、当業者にとって様々な変更、修正及び改善が容易に行われ得ることが理解可能である。このような変更、修正及び改善は、本発明の精神及び範囲内にあることを意図している。
【図１】
2020532908.tif 000004
【図２】
2020532908.tif 000005
【図３】
2020532908.tif 000006
【図４】
2020532908.tif 000007
【図５】
2020532908.tif 000008
【図６】
2020532908.tif 000009
【図７】
2020532908.tif 000010
【図８】
2020532908.tif 000011
【図９】
2020532908.tif 000012
【図１０】
2020532908.tif 000013
【図１１】
2020532908.tif 000014
【図１２】
2020532908.tif 000015
【図１３】
2020532908.tif 000016
【図１４】
2020532908.tif 000017
【図１５】
2020532908.tif 000018
【図１６】
2020532908.tif 000019
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
少なくとも一つの光源と、
コントローラとを備え、
前記コントローラとは、光源制御信号を通じて前記少なくとも一つの光源のそれぞれが少なくとも２つのモードで動作するように連続的に制御を行い、前記少なくとも２つのモードは第一のモードと第二のモードを含み、前記第一のモードは第一の情報を伝送することに用いられ、前記第二のモードは前記第一の情報と異なる第二の情報を伝送することに用いられ、
前記少なくとも一つの光源のいずれかの光源において、前記第一のモードで、前記光源制御信号は第一の周波数を有し、これにより、ＣＭＯＳ画像センサーで前記光源を撮影する時に取得された前記光源の画像に縞が現れ、前記第二のモードで、前記光源から発された光については、ＣＭＯＳ画像センサーで前記光源を撮影する時に取得された前記光源の画像に縞が現れないことを特徴とする
光通信装置。
【請求項２】
前記第二のモードで、前記光源制御信号は前記第一の周波数と異なる第二の周波数を有することを特徴とする
請求項１に記載の光通信装置。
【請求項３】
前記第二の周波数は前記第一の周波数より大きいことを特徴とする
請求項２に記載の光通信装置。
【請求項４】
前記第一のモードで、前記光源制御信号は前記光源が前記第一の周波数でオン及びオフするように制御し、前記第二のモードで、前記光源制御信号は前記光源が前記第二の周波数でオン及びオフするように制御することを特徴とする
請求項２に記載の光通信装置。
【請求項５】
前記光源制御信号は光の強度の制御に用いられることを特徴とする
請求項１〜４のいずれかに記載の光通信装置。
【請求項６】
前記第二のモードで、前記光源から発された光の強度が変化しないことを特徴とする
請求項１〜５のいずれかに記載の光通信装置。
【請求項７】
前記第二のモードで、前記光源へ直流電流を提供することを特徴とする
請求項１〜６のいずれかにに記載の光通信装置。
【請求項８】
前記光源の付近に位置する一つ又は複数の位置決め識別子をさらに備えることを特徴とする
請求項１〜７のいずれかに記載の光通信装置。
【請求項９】
前記第一の周波数は８０００回／秒以上であることを特徴とする
請求項１〜８のいずれかに記載の光通信装置。
【請求項１０】
光源を使用して情報を伝送するための方法であって、
伝送される情報に基づき、光源制御信号を通じて、第一のモード又は第二のモードで動作するように前記光源を連続的に制御し、前記第一のモードは第一の情報を伝送することに用いられ、前記第二のモードは前記第一の情報と異なる第二の情報を伝送することに用いられ、
ここで、前記第一のモードで、前記光源制御信号は第一の周波数を有し、これにより、ＣＭＯＳ画像センサーで前記光源を撮影する時に取得された前記光源の画像に縞が現れ、前記第二のモードで、前記光源から発された光については、ＣＭＯＳ画像センサーで前記光源を撮影する時に取得された前記光源の画像に縞が現れないことを特徴とする
情報伝送方法。
【請求項１１】
前記第二のモードで、前記光源制御信号は前記第一の周波数と異なる第二の周波数を有することを特徴とする
請求項１０に記載の方法。
【請求項１２】
前記第二の周波数は前記第一の周波数より大きいことを特徴とする
請求項１１に記載の方法。
【請求項１３】
前記第二のモードで、前記光源から発された光の強度が変化しないことを特徴とする
請求項１０〜１２のいずれかに記載の方法。
【請求項１４】
前記光源が経時的に前記第一のモード又は前記第二のモードで連続的に動作することにより、バイナリデータ０と１のシーケンスを伝送することを特徴とする
請求項１０〜１３のいずれかに記載の方法。
【請求項１５】
請求項１〜９のいずれかに記載の光通信装置によって伝送された情報を受信するための方法であって、
ＣＭＯＳ画像センサーによって前記光源の画像を取得することと、
前記画像における前記光源の位置に対応する部分に縞が存在するか否かを判定することと、
縞が存在するか否かに基づき、前記光源が第一の情報又は前記第一の情報と異なる第二の情報が伝送されたかを確定することとを含むことを特徴とする
情報受信方法。
【請求項１６】
ＣＭＯＳ画像センサーによって前記光源の連続したマルチフレーム画像を取得し、それによって第一の情報と第二の情報からなる情報シーケンスを確定することを特徴とする
請求項１５に記載の方法。
【請求項１７】
前記画像における前記光源の位置に対応する部分に縞が存在するか否かを判定することは、
前記画像に光通信装置の一つ又は複数の位置決め識別子を識別することと、
前記一つ又は複数の位置決め識別子の位置に基づいて前記画像における前記光源の位置に対応する部分を確定することと、
前記部分に縞が存在するか否かを判定することとを含むことを特徴とする
請求項１５または１６に記載の方法。
【請求項１８】
少なくとも一つの光源と、
コントローラと、を備え、
前記コントローラとは、光源制御信号を通じて前記少なくとも一つの光源のそれぞれが少なくとも２つのモードで動作するように連続的に制御し、前記少なくとも２つのモードは第一のモードと第二のモードとを含み、前記第一のモードは第一の情報を伝送することに用いられ、前記第二のモードは前記第一の情報と異なる第二の情報を伝送することに用いられ、
前記少なくとも一つの光源のいずれかの光源において、前記第一のモードで、前記光源制御信号は第一の周波数を有し、これにより、ＣＭＯＳ画像センサーで前記光源を撮影する時に取得された前記光源の画像に縞が現れ、前記第二のモードで、前記光源制御信号は第二の周波数を有し、これにより、ＣＭＯＳ画像センサーで前記光源を撮影する時に取得された前記光源の画像に前記第一のモードでの縞と異なる縞が現れることを特徴とする
光通信装置。
【請求項１９】
前記第一の周波数は前記第二の周波数と同じであり、前記第一のモードで光源が発する光の色は前記第二のモードで光源が発する光の色と異なることを特徴とする
請求項１８に記載の光通信装置。
【請求項２０】
前記少なくとも２つのモードは、前記第一の情報と前記第二の情報と異なる第三の情報を伝送することに用いられる第三のモードをさらに含み、前記第三のモードで、前記光源から発された光については、ＣＭＯＳ画像センサーで前記光源を撮影する時に取得された前記光源の画像に縞が現れないことを特徴とする
請求項１８または１９に記載の光通信装置。
【請求項２１】
光通信装置中の光源から伝送された情報を受信する方法であって、
ＣＭＯＳ画像センサーにより前記光源の画像を取得し、
前記画像において、前記光源の位置に対応する部分に縞が現れたか判断し、もし縞が現れた場合にさらに縞の種類を判断し、
判断結果に基づき前記光源から伝送された情報を確定することを含むことを特徴とする
情報受信方法。
【国際調査報告】
2020532908.tif 000020
2020532908.tif 000021
2020532908.tif 000022
2020532908.tif 000023